【手続補正書】
【提出日】平成29年9月4日(2017.9.4)
【手続補正１】
【補正対象書類名】明細書
【補正対象項目名】００１１
【補正方法】変更
【補正の内容】
【００１１】
本発明に係る防止装置は、電流経路に設けられたスイッチを備え、該スイッチをオフにすることによって前記電流経路に過電流が流れることを防止する防止装置において、一端が前記スイッチの一端に接続してある抵抗と、該抵抗の一端側から他端側に向けて一定の電流を流す定電流回路と、該定電流回路が流す電流の値を変更する変更手段と、前記スイッチ及び抵抗夫々の他端における電位を比較する比較部とを備え、該比較部が行った比較の結果が、前記スイッチの他端における電位が前記抵抗の他端における電位よりも低いことを示す場合に前記スイッチをオフにし、前記定電流回路は、コレクタが前記抵抗の他端に接続されているバイポーラトランジスタを有し、前記変更手段は、該バイポーラトランジスタのベースの電位を調整することによって、前記電流の値を変更するように構成してあることを特徴とする。
【手続補正２】
【補正対象書類名】明細書
【補正対象項目名】００１４
【補正方法】変更
【補正の内容】
【００１４】
また、定電流回路が流す電流の値を変更する。これにより、抵抗の両端間の電圧を変更することが可能となるため、スイッチの他端における電位と比較する閾値電位を変更することができる。従って、例えば、スイッチの他端に誘導性負荷が接続されている場合、負荷が作動する直後から所定期間の間だけ、閾値電位を低い電位に変更することが可能である。また、スイッチ周辺の温度に応じて閾値電位を変更することも可能であり、装置ごとに閾値電位を変更することも可能である。閾値電位を適切に設定することによって、電流経路に過電流が流れることが確実に防止される。
具体的には、定電流回路が有するバイポーラトランジスタのベースの電位を調整することによって、定電流回路が流す電流の値を変更する。
【手続補正３】
【補正対象書類名】明細書
【補正対象項目名】００２１
【補正方法】変更
【補正の内容】
【００２１】
本発明に係る防止装置は、前記定電流回路は、ベース及びコレクタが前記バイポーラトランジスタのベースに接続されている第２のバイポーラトランジスタを更に有し、前記バイポーラトランジスタ及び第２のバイポーラトランジスタのエミッタの電位は略同じであり、前記変更手段は、前記第２のバイポーラトランジスタのコレクタ及びエミッタ間を流れる電流の値を変更することによって、前記バイポーラトランジスタのベースの電位を調整するように構成してあることを特徴とする。
【手続補正４】
【補正対象書類名】明細書
【補正対象項目名】００２２
【補正方法】変更
【補正の内容】
【００２２】
本発明にあっては、第２のバイポーラトランジスタのコレクタ及びエミッタ間を流れる電流の値を変更することによって、バイポーラトランジスタのベースの電位を調整する。これにより、定電流回路が流す電流の値が変更される。
【手続補正５】
【補正対象書類名】明細書
【補正対象項目名】００２３
【補正方法】削除
【補正の内容】
【手続補正６】
【補正対象書類名】明細書
【補正対象項目名】００３６
【補正方法】変更
【補正の内容】
【００３６】
ＦＥＴ２２のドレインに抵抗Ｒ２の一端が接続してあり、抵抗Ｒ２の他端には、第２定電流回路２８と、第２コンパレータ２９のマイナス端子とが接続されている。第２定電流回路２８は、更に制御部２３に接続されており、接地もされている。第２コンパレータ２９のプラス端子はＦＥＴ２１のドレインに接続されており、第２コンパレータ２９の出力端子は制御部２３に接続されている。
【手続補正７】
【補正対象書類名】明細書
【補正対象項目名】００４１
【補正方法】変更
【補正の内容】
【００４１】
バイポーラトランジスタ４０，４１夫々では、ベース及びエミッタ間の電圧の高／低に応じて、値が大／小となる電流がエミッタ及びコレクタ間に流れる。バイポーラトランジスタ４０，４１夫々のベース及びエミッタ間に同一の電圧が印加された場合、バイポーラトランジスタ４０のコレクタ及びエミッタ間には、バイポーラトランジスタ４１のコレクタ及びエミッタ間に流れる電流の値を所定数倍にした値の電流が流れる。
【手続補正８】
【補正対象書類名】明細書
【補正対象項目名】００４２
【補正方法】変更
【補正の内容】
【００４２】
第１定電流回路２５では、電圧Ｖｃｃが抵抗Ｒ５の他端とバイポーラトランジスタ４１のエミッタとの間に印加されている。これにより、電流が抵抗Ｒ５の他端から抵抗Ｒ３並びにバイポーラトランジスタ４１のコレクタ及びエミッタの順に流れる。そして、バイポーラトランジスタ４０，４１夫々のベースに同一の電圧が印加されるので、バイポーラトランジスタ４１のコレクタ及びエミッタ間を流れる電流の値Ｉｒｅｆを所定数倍した値Ｉ１の電流が抵抗Ｒ１に流れる。
【手続補正９】
【補正対象書類名】明細書
【補正対象項目名】００６０
【補正方法】変更
【補正の内容】
【００６０】
図５は制御部２３が実行する第１防止処理を示すフローチャートである。制御部２３は、まず、温度検出部２４が検出したスイッチ温度を、温度検出部２４から読込み（ステップＳ１）、読込んだスイッチ温度の高／低に応じて第１電流値を小／大に設定する（ステップＳ２）。次に、制御部２３は、第１作動信号が入力されたか否かに基づいて、第１負荷１２がこれから作動するか否かを判定する（ステップＳ３）。ここで、制御部２３は、第１作動信号が入力されている場合に第１負荷１２がこれから作動すると判定し、第１作動信号が入力されていない場合、第１負荷１２が作動中又は停止中であるとして、第１負荷１２がこれから作動しないと判定する。制御部２３は特許請求の範囲における判定手段としても機能する。
【手続補正１０】
【補正対象書類名】特許請求の範囲
【補正対象項目名】全文
【補正方法】変更
【補正の内容】
【特許請求の範囲】
【請求項１】
電流経路に設けられたスイッチを備え、該スイッチをオフにすることによって前記電流経路に過電流が流れることを防止する防止装置において、
一端が前記スイッチの一端に接続してある抵抗と、
該抵抗の一端側から他端側に向けて一定の電流を流す定電流回路と、
該定電流回路が流す電流の値を変更する変更手段と、
前記スイッチ及び抵抗夫々の他端における電位を比較する比較部と
を備え、
該比較部が行った比較の結果が、前記スイッチの他端における電位が前記抵抗の他端における電位よりも低いことを示す場合に前記スイッチをオフにし、
前記定電流回路は、コレクタが前記抵抗の他端に接続されているバイポーラトランジスタを有し、
前記変更手段は、該バイポーラトランジスタのベースの電位を調整することによって、前記電流の値を変更するように構成してあること
を特徴とする防止装置。
【請求項２】
前記スイッチ周辺の温度を検出する温度検出部を更に備え、
前記変更手段は、前記温度検出部が検出した温度の高／低に応じて、前記定電流回路が流す電流の値を小／大に変更するように構成してあること
を特徴とする請求項１に記載の防止装置。
【請求項３】
前記スイッチの他端に負荷が接続してあり、
該負荷が作動するか否かを判定する判定手段を備え、
前記変更手段は、該判定手段によって前記負荷が作動すると判定された場合、前記定電流回路が流す電流の値を上昇させるように構成してあること
を特徴とする請求項１又は請求項２に記載の防止装置。
【請求項４】
前記変更手段は、前記判定手段によって前記負荷が作動すると判定されてから所定時間が経過した場合に、前記定電流回路が流す電流の値を、上昇させる前の電流値に戻すように構成してあること
を特徴とする請求項３に記載の防止装置。
【請求項５】
前記定電流回路は、ベース及びコレクタが前記バイポーラトランジスタのベースに接続されている第２のバイポーラトランジスタを更に有し、
前記バイポーラトランジスタ及び第２のバイポーラトランジスタのエミッタの電位は略同じであり、
前記変更手段は、前記第２のバイポーラトランジスタのコレクタ及びエミッタ間を流れる電流の値を変更することによって、前記バイポーラトランジスタのベースの電位を調整するように構成してあること
を特徴とする請求項１から請求項４のいずれか１つに記載の防止装置。